(57)【特許請求の範囲】
【請求項１】
冷却液が流入する流入口と流出する流出口とを有し、ダッシュボードの上面のほぼ全域の近傍を巡回する冷却路と、
前記流入口と前記流出口とを連通する循環路と、
前記循環路に設けられ、前記流出口から回収した冷却液を前記流入口へ循環供給するポンプと、
車外に開口する第１開口と分岐部とを連通する第１領域と、車外に開口する第２開口と前記分岐部とを連通する第２領域と、車室内に開口する第３開口と前記分岐部とを連通する第３領域とを有する通気路と、
前記第２領域を閉塞する第１連通状態と前記第３領域を閉塞する第２連通状態とに選択的に設定可能な切り替え手段と、
前記循環路に設けられ且つ前記第１領域に配置されて内部を冷却液が流通するラジエータと、前記第１領域に設けられて前記ラジエータに通風するファンとを有し、前記循環路を流通する冷却液を冷却する放熱器と、
車両に設けられて前記車室内へ空調風を供給する空調装置が作動しているか否かを検知する空調作動検知手段と、
前記空調装置が作動していると前記空調作動検知手段が検知した場合、前記切り替え手段を前記第２連通状態に設定し、前記空調装置が作動していないと前記空調作動検知手段が検知した場合、前記切り替え手段を前記第１連通状態に設定する切り替え制御手段と、を備える
ことを特徴とするダッシュボード冷却システム。
【請求項２】
請求項１に記載のダッシュボード冷却システムであって、
車室内の温度を検出する車室内温度検出センサと、
前記車室内温度検出センサが検出した車室内の温度が所定温度以上の場合、前記切り替え手段を前記第１連通状態に設定し、前記車室内温度検出センサが検出した車室内の温度が前記所定温度未満の場合、前記切り替え手段を前記第２連通状態に設定する切り替え制御手段と、を備える
ことを特徴とするダッシュボード冷却システム。
【請求項３】
冷却液が流入する流入口と流出する流出口とを有し、ダッシュボードの上面のほぼ全域の近傍を巡回する冷却路と、
前記流入口と前記流出口とを連通する循環路と、
前記循環路に設けられ、前記流出口から回収した冷却液を前記流入口へ循環供給するポンプと、
車外に開口する第１開口と分岐部とを連通する第１領域と、車外に開口する第２開口と前記分岐部とを連通する第２領域と、車室内に開口する第３開口と前記分岐部とを連通する第３領域とを有する通気路と、
前記第２領域を閉塞する第１連通状態と前記第３領域を閉塞する第２連通状態とに選択的に設定可能な切り替え手段と、
前記循環路に設けられ且つ前記第１領域に配置されて内部を冷却液が流通するラジエータと、前記第１領域に設けられて前記ラジエータに通風するファンとを有し、前記循環路を流通する冷却液を冷却する放熱器と、
車室内の温度を検出する車室内温度検出センサと、
前記車室内温度検出センサが検出した車室内の温度が所定温度以上の場合、前記切り替え手段を前記第１連通状態に設定し、前記車室内温度検出センサが検出した車室内の温度が前記所定温度未満の場合、前記切り替え手段を前記第２連通状態に設定する切り替え制御手段と、
車両に設けられて前記車室内へ空調風を供給する空調装置が作動しているか否かを検知する空調作動検知手段と、を備え、
前記切り替え制御手段は、前記空調装置が作動していると前記空調作動検知手段が検知した場合、前記車室内の温度に関わらず、前記切り替え手段を前記第２連通状態に設定する
ことを特徴とするダッシュボード冷却システム。
【請求項４】
請求項１に記載のダッシュボード冷却システムであって、
前記ファンを制御するファン制御手段を備え、
前記ファンは、前記分岐部から前記第１開口へ向かって空気を流通させる正回転状態と前記第１開口から前記分岐部へ向かって空気を流通させる逆回転状態とに選択的に設定可能であり、
前記ファン制御手段は、前記ファンを前記正回転状態と前記逆回転状態との少なくとも一方に選択的に設定する
ことを特徴とするダッシュボード冷却システム。
【請求項５】
請求項４に記載のダッシュボード冷却システムであって、
車外の温度を検出する車外温度検出センサと、
車室内の温度を検出する車室内温度検出センサと、を備え、
前記ファン制御手段は、前記車外温度検出センサが検出した車外の温度が第１所定温度以上で、且つ前記車室内温度検出センサが検出した車室内の温度と前記車外温度検出センサが検出した車外の温度との差が第２所定温度以上の場合、前記ファンを前記逆回転状態に設定する
ことを特徴とするダッシュボード冷却システム。
【請求項６】
冷却液が流入する流入口と流出する流出口とを有し、ダッシュボードの上面のほぼ全域の近傍を巡回する冷却路と、
前記流入口と前記流出口とを連通する循環路と、
前記循環路に設けられ、前記流出口から回収した冷却液を前記流入口へ循環供給するポンプと、
車外に開口する第１開口と分岐部とを連通する第１領域と、車外に開口する第２開口と前記分岐部とを連通する第２領域と、車室内に開口する第３開口と前記分岐部とを連通する第３領域とを有する通気路と、
前記第２領域を閉塞する第１連通状態と前記第３領域を閉塞する第２連通状態とに選択的に設定可能な切り替え手段と、
前記循環路に設けられ且つ前記第１領域に配置されて内部を冷却液が流通するラジエータと、前記第１領域に設けられて前記ラジエータに通風するファンとを有し、前記循環路を流通する冷却液を冷却する放熱器と、
前記ファンを制御するファン制御手段と、
前記切り替え手段を制御する切り替え制御手段と、
車室内の温度を検出する車室内温度検出センサと、
前記ラジエータを通過した空気の温度を検出するラジエータ排気温度センサと、を備え、
前記ファンは、前記分岐部から前記第１開口へ向かって空気を流通させる正回転状態と前記第１開口から前記分岐部へ向かって空気を流通させる逆回転状態とに選択的に設定可能であり、
前記ファン制御手段は、前記ファンを前記正回転状態と前記逆回転状態との少なくとも一方に選択的に設定し、
前記切り替え制御手段は、前記ファンが前記逆回転状態であって、前記車室内温度検出センサが検出した車室内の温度が前記ラジエータ排気温度センサが検出した前記ラジエータを通過した空気の温度以上の場合には、前記切り替え手段を前記第１連通状態に設定し、前記車室内温度検出センサが検出した車室内の温度が前記ラジエータ排気温度センサが検出した前記ラジエータを通過した空気の温度未満の場合には、前記切り替え手段を前記第２連通状態に設定する
ことを特徴とするダッシュボード冷却システム。
【請求項７】
請求項６に記載のダッシュボード冷却システムであって、
車両の始動を検知する車両始動検知手段を備え、
前記切り替え制御手段は、前記ファン制御手段が前記ファンを前記逆回転状態に設定し、且つ前記車両始動検知手段が車両の始動を検知した場合、前記ラジエータを通過した空気の温度に関わらず、前記切り替え手段を前記第２連通状態に設定する
ことを特徴とするダッシュボード冷却システム。
【請求項８】
請求項１〜請求項７の何れかに記載のダッシュボード冷却システムであって、
太陽光線を電力に変換する太陽電池を備え、
前記ポンプ及び前記ファンは、前記太陽電池からの電力によって直接駆動する
ことを特徴とするダッシュボード冷却システム。
【発明の詳細な説明】
【技術分野】
【０００１】
本発明は、車両に搭載されるダッシュボード冷却システムに関する。
【背景技術】
【０００２】
特開平９−９５１２４号公報には、自動車室内と車外とを連通する通気口に設けられた排気ファンを回転させ、自動車室内の空気を外気と強制的に交換し、自動車室内を外気温に近い状態に保持する換気装置が記載されている。
【０００３】
また、特開２００６−２７４６１号公報には、インパネの内部空間に外気を導入してインパネの内部空間の滞留空気を車内空間に排気し、さらに車内の滞留空気を車外へ排気することで、インパネの内部空間の温度を下げてインパネ表面の温度を下げる換気装置が記載されている。
【先行技術文献】
【特許文献】
【０００４】
【特許文献１】特開平９−９５１２４号公報
【特許文献２】特開２００６−２７４６１号公報
【発明の概要】
【発明が解決しようとする課題】
【０００５】
一般に、車両のフロントウィンドウパネルの直下に配置されるダッシュボードは、太陽光の入射に起因して高温になり易い。ダッシュボードの高温化は、車室内の温度上昇を招く。特に、夏場等で日射量が多く気温が高いときには、ダッシュボードの温度や車室内の温度は非常に高温となり、乗員に不快感を与える。このため、ダッシュボードの温度上昇を抑制することが望ましい。
【０００６】
しかし、上記特開平９−９５１２４号公報に記載された換気装置は、車室内を換気して車室内温度を低下させるものであり、ダッシュボードの温度を直接低下させるものではない。
【０００７】
また、上記特開２００６−２７４６１号公報に記載された換気装置は、インパネの内部空間を換気することでインパネ表面の温度を低下させるものであり、太陽光の入射を受けて高温となるダッシュボードの上面を直接冷却するものではない。このため、ダッシュボードの温度を十分に低下させることができない可能性がある。
【０００８】
そこで、本発明は、ダッシュボードの温度上昇を効果的に抑制することが可能なダッシュボード冷却システムの提供を目的とする。
【課題を解決するための手段】
【０００９】
上記目的を達成すべく、本発明の第１の態様は、車両のダッシュボードの温度上昇を抑制するダッシュボード冷却システムであって、冷却路と循環路とポンプと通気路と切り替え手段と放熱器と空調作動検知手段と切り替え制御手段とを備える。
【００１０】
冷却路は、冷却液が流入する流入口と流出する流出口とを有し、ダッシュボードの上面のほぼ全域の近傍を巡回する。循環路は、流入口と流出口とを連通する。ポンプは、循環路に設けられ、流出口から回収した冷却液を流入口へ循環供給する。通気路は、車外に開口する第１開口と分岐部とを連通する第１領域と、車外に開口する第２開口と分岐部とを連通する第２領域と、車室内に開口する第３開口と分岐部とを連通する第３領域とを有する。切り替え手段は、第２領域を閉塞する第１連通状態と第３領域を閉塞する第２連通状態とに選択的に設定可能である。放熱器は、循環路に設けられ且つ第１領域に配置されて内部を冷却液が流通するラジエータと、第１領域に設けられてラジエータに通風するファンとを有し、循環路を流通する冷却液を冷却する。空調作動検知手段は、車両に設けられて車室内へ空調風を供給する空調装置が作動しているか否かを検知する。切り替え制御手段は、空調装置が作動していると空調作動検知手段が検知した場合、切り替え手段を第２連通状態に設定し、空調装置が作動していないと空調作動検知手段が検知した場合、切り替え手段を第１連通状態に設定する。
【００１１】
上記構成では、ポンプが駆動すると、冷却液は、流入口から冷却路へ流入してダッシュボードのほぼ全域の近傍を巡回して流出口から流出し、ラジエータの内部を流通して再び流入口から冷却路へ流入する。ファンが駆動すると、空気はラジエータを通過する。ダッシュボードの上面は、冷却路を流通する冷却液によって冷却され、ダッシュボードを冷却して昇温した冷却液は、ラジエータを通過する空気によって冷却される。ラジエータ及びファンは、通気路の第１領域に設けられる。切り替え手段が第１連通状態に設定されると、第２領域が閉塞され、通気路は第３開口及び第１開口を介して車室内と車外とに連通し、ファンが駆動すると、車室内の空気と車外の空気とが交換されて車室内が換気される。一方、切り替え手段が第２連通状態に設定されると、第３開口を介して車室内に連通する第３領域が閉塞され、通気路は車室内には連通せず、車室内は換気されない。
【００１２】
このように、太陽光の入射を受けて高温となるダッシュボードの上面を、比較的比熱の大きい冷却液を循環させて冷却するので、ダッシュボードの温度上昇を効果的に抑制することができる。また、ダッシュボードの温度上昇が抑制されるので、間接的に車室内の温度上昇も抑制することができる。また、車室内と車外とに連通可能な通気路に放熱器を設けているので、通気路を車室内と車外とに連通させることによってダッシュボードの冷却と車室内の換気とを同時に行うことができる。さらに、通気路の連通状態は切り替え手段の設定によって任意に変更できるので、環境条件や車両の状態等に応じて車室内の換気を行うか否かを選択することができる。
また、空調装置が作動すると、切り替え手段が第２連通状態に設定されるので、車室内の換気は行われない。従って、空調風が車外に流出せず、空調装置の過剰使用による電力の消費を抑制することができる。
【００１３】
また、上記ダッシュボード冷却システムは、車室内温度検出センサと切り替え制御手段とを備えてもよい。車室内温度検出センサは、車室内の温度を検出する。切り替え制御手段は、車室内温度検出センサが検出した車室内の温度が所定温度以上の場合、切り替え手段を第１連通状態に設定し、検出した車室内の温度が所定温度未満の場合、切り替え手段を第２連通状態に設定する。
【００１４】
上記構成では、車室内の温度が所定温度以上の場合には、切り替え手段が切り替え制御手段によって第１連通状態に設定されるので、ダッシュボードの冷却と車室内の換気とが同時に行われる。一方、車室内の温度が所定温度未満の場合には、切り替え手段が第２連通状態に設定されるので、ダッシュボードの冷却のみが行われる。このため、例えば、真夏の炎天下に駐車して車室内が高温となった場合には、ダッシュボードの冷却と車室内の換気とを同時に行い、乗員が乗車して車室内が適温となった場合には、ダッシュボードの冷却のみを行うことができる。
【００１５】
本発明の第２の態様は、第１の態様の冷却路、循環路、ポンプ、通気路、切り換え手段、及び放熱器を備えたダッシュボード冷却システムであって、車室内の温度を検出する車室内温度検出センサと、車室内温度検出センサが検出した車室内の温度が所定温度以上の場合、切り替え手段を第１連通状態に設定し、車室内温度検出センサが検出した車室内の温度が所定温度未満の場合、切り替え手段を第２連通状態に設定する切り替え制御手段と、車両に設けられた車室内へ空調風を供給する空調装置が作動しているか否かを検知する空調作動検知手段を備える。切り替え制御手段は、空調装置が作動していると空調作動検知手段が検知した場合、車室内の温度に関わらず、切り替え手段を第２連通状態に設定する。
【００１６】
上記構成では、空調装置が作動すると、車室内の温度が所定温度以上であっても、切り替え手段が第２連通状態に設定されるので、車室内の換気は行われない。従って、空調風が車外に流出せず、空調装置の過剰使用による電力の消費を抑制することができる。
【００１７】
また、上記第１の態様のダッシュボード冷却システムは、ファンを制御するファン制御手段を備えてもよい。ファンは、分岐部から第１開口へ向かって空気を流通させる正回転状態と第１開口から分岐部へ向かって空気を流通させる逆回転状態とに選択的に設定可能であり、ファン制御手段は、ファンを正回転状態と逆回転状態との少なくとも一方に選択的に設定する。
【００１８】
上記構成では、切り替え手段が切り替え制御手段によって第１連通状態に設定され、ファンがファン制御手段によって正回転状態に設定されると、車室内の空気がラジエータを通過して車外に排出される。すなわち、ダッシュボードの冷却と同時に車室内は排気方式で換気され、ラジエータ内を流通する昇温した冷却液は、主として車室内の空気によって冷却される。また、切り替え手段が第１連通状態に設定され、ファンが逆回転状態に設定されると、車外の空気がラジエータを通過して車室内に供給される。すなわち、ダッシュボードの冷却と同時に車室内は給気方式で換気され、昇温した冷却液は、主として車外の空気によって冷却される。一方、切り替え手段が第２連通状態に設定されると、ファンが正回転状態及び逆回転状態の何れに設定されていても、ダッシュボードの冷却のみが行われ、昇温した冷却液は、常に車外の空気によって冷却される。このように、通気路内の空気の流通方向はファンの設定によって任意に変更できるので、環境条件や車両の状態等に応じて、昇温した冷却液を冷却する空気を選択することができる。
【００１９】
また、上記第１の態様のダッシュボード冷却システムは、車外の温度を検出する車外温度検出センサと、車室内の温度を検出する車室内温度検出センサとを備えてもよい。ファン制御手段は、車外温度検出センサが検出した車外の温度が第１所定温度以上で、且つ車室内温度検出センサが検出した車室内の温度と車外温度検出センサが検出した車外の温度との差が第２所定温度以上の場合、ファンを逆回転状態に設定する。
【００２０】
上記構成では、車外の温度が第１所定温度以上で、且つ車室内の温度と車外の温度との差が第２所定温度以上の場合、ファンが逆回転状態に設定され、昇温した冷却液は主として車外の空気によって冷却される。このため、例えば、真夏の炎天下に長時間駐車して車室内が車外よりも相当高温になった場合には、昇温した冷却液が車室内の空気よりも低温の車外の空気によって冷却されるので、ダッシュボードの冷却効果を向上させることができる。
【００２１】
本発明の第３の態様は、第１の態様の冷却路、循環路、ポンプ、通気路、切り換え手段、及び放熱器を備えたダッシュボード冷却システムであって、ファンを制御するファン制御手段と、切り替え手段を制御する切り替え制御手段と、車室内の温度を検出する車室内温度検出センサと、ラジエータを通過した空気の温度を検出するラジエータ排気温度センサを備える。切り替え制御手段は、ファンが逆回転状態であって、車室内温度検出センサが検出した車室内の温度がラジエータ排気温度センサが検出したラジエータを通過した空気の温度以上の場合には、切り替え手段を第１連通状態に設定し、車室内温度検出センサが検出した車室内の温度がラジエータ排気温度センサが検出したラジエータを通過した空気の温度未満の場合には、切り替え手段を第２連通状態に設定する。
【００２２】
上記構成では、ファンが逆回転状態に設定されて昇温した冷却液が車外の空気によって冷却される状態において、車室内の温度がラジエータを通過した空気（ラジエータ排気）の温度以上の場合には、切り替え手段が第１連通状態に設定され、ダッシュボードの冷却と同時に車室内は給気方式で換気され、車室内の温度がラジエータ排気の温度未満の場合には、切り替え手段が第２連通状態に設定され、ダッシュボードの冷却のみが行われる。このため、ラジエータ排気が車室内の空気よりも低温の場合には、ラジエータ排気を車室内に供給して直接的に車室内の温度上昇を抑制することができる。
【００２３】
また、上記第３の態様のダッシュボード冷却システムは、車両の始動を検知する車両始動検知手段を備えてもよい。切り替え制御手段は、ファン制御手段がファンを逆回転状態に設定し、且つ車両始動検知手段が車両の始動を検知した場合、ラジエータを通過した空気の温度に関わらず、切り替え手段を第２連通状態に設定する。
【００２４】
上記構成では、車両が始動すると、ラジエータ排気の温度が車室内の温度未満であっても、切り替え手段が第２連通状態に設定され、車室内の換気は行われない。従って、比較的高温となるラジエータ排気が車室内に供給されないので、乗員はラジエータ排気が車室内を対流することによる不快感を覚えずに快適に乗車することができる。
【００２５】
また、上記ダッシュボード冷却システムは、太陽光線を電力に変換する太陽電池を備えてもよい。この場合、ポンプ及びファンは、太陽電池からの電力によって直接駆動する。
【００２６】
上記構成では、ポンプとファンは、日射量に比例して発電する太陽電池から直接電力が供給され駆動する。このため、ポンプ及びファンの駆動は日射量に比例して変化し、日射量が多いときには、冷却路に供給される冷却液の流量及びラジエータを通過する空気の風量は多くなり、ダッシュボードの冷却効果及び車室内の換気効果が向上する。従って、ポンプ及びファンの駆動を制御することなく、環境条件に適したダッシュボードの冷却及び車室内の換気を行うことができる。また、ポンプ及びファンの駆動を制御するためのセンサや制御装置が不要であるので、部品点数の増加を抑制し、システムを簡素化することができる。
【発明の効果】
【００２７】
本発明によれば、ダッシュボードの上面を冷却液によって冷却するので、ダッシュボードの温度上昇を効果的に抑制することができる。
【図面の簡単な説明】
【００２８】
【図１】第１実施形態のダッシュボード冷却システム１が搭載された車両２の概略図である。
【図２】ダッシュボード冷却システム１の構成図である。
【図３】冷却パネル６の平面図及び断面図である。
【図４】第２実施形態のダッシュボード冷却システムの構成図である。
【発明を実施するための形態】
【００２９】
以下、本発明の第１実施形態のダッシュボード冷却システム１について、図面を参照して説明する。図１は、ダッシュボード冷却システム１が搭載された車両２の概略図である。図２は、ダッシュボード冷却システム１の構成図である。図３（ａ）は、冷却パネル６の平面図であり、図３（ｂ）は、図３（ａ）のＡ−Ａ矢視断面図である。
【００３０】
図１及び図２に示すように、ダッシュボード冷却システム１は、冷却パネル６と循環パイプ１０と太陽電池１１と通気ダクト１３とポンプ２７と放熱器２９と車室内温度検出センサ３３とコントローラ３４とを備え、車両２に搭載されている。放熱器２９は、ラジエータ３０とファン３１とを有する。車両２には、車室３内へ空調風を供給するエアコンディショナー装置（以下、単にエアコンと称する）が搭載され、車室３内には、乗員からの操作に応じてエアコンを作動及び停止させるエアコンスイッチ３５が配置されている。
【００３１】
冷却パネル６は、図３（ａ）及び図３（ｂ）に示すように、冷却パイプ７とカバー８とを有する。カバー８は、相対向する第１冷却プレート９ａと第２冷却プレート９ｂとを有する薄板状の矩形箱状体であり、冷却パイプ７の外周を覆う。第１冷却プレート９ａは、所望の柔軟性があり熱伝導率が低い（断熱性の）樹脂材等で形成され、第２冷却プレート９ｂは、所望の柔軟性があり熱伝導率が高い（高伝熱性の）樹脂材等で形成されている。
【００３２】
冷却パイプ７は、所望の柔軟性があり熱伝導率が高い（高伝熱性の）樹脂材等で形成され、カバー８に保持される。冷却パイプ７の内周面は、冷却液の流路（冷却路）を形成している。冷却パイプ７の全長は、カバー８（第１及び第２冷却プレート９ａ，９ｂ）の長手方向の長さの数倍に設定され、冷却パイプ７は、カバー８の長手方向に沿って延びる複数の直線部分を有するように蛇行状に曲折された状態でカバー８の内部に配置され、カバー８の内部のほぼ全域を巡回する。冷却パイプ７の一端（流入口）７ａには、流入側コネクタ（図示省略）が固定され、他端（流出口）７ｂには、流出側コネクタ（図示省略）が固定されている。第１冷却プレート９ａの周縁と第２冷却プレート９ｂの周縁とは、冷却パイプ７の両端７ａ，７ｂを露出させる開口部分を除く領域で、互いに接合されている。
【００３３】
図１及び図２に示すように、冷却パネル６は、ダッシュボード４の上面に載置され固定される。この状態で、第２冷却プレート９ｂは、ダッシュボード４の上面をほぼ全域に亘って覆うとともに、ダッシュボード４の上面に密着する。なお、冷却パネル６の構造は、上記に限定されない。例えば、冷却パイプ７を、カバー８の内部のほぼ全域を巡回する他の形状（例えば螺旋状）に配置してもよい。また、冷却パイプ７を省略し、第１及び第２冷却プレート９ａ，９ｂの内面によって冷却液の流路を形成してもよい。
【００３４】
循環パイプ１０は、ポンプ２７の流出口２７ｂと冷却パイプ７の一端（流入側コネクタ）７ａとを接続する第１管路１０ａと、冷却パイプ７の他端（流出側コネクタ）７ｂとラジエータ３０の流入口３０ａとを接続する第２管路１０ｂと、ラジエータ３０の流出口３０ｂとポンプ２７の流入口２７ａとを接続する第３管路１０ｃとを有する。循環パイプ１０は、断熱性が高い金属材や樹脂材等によって形成される。循環パイプ１０の内周面は、冷却液の流路（循環路）を形成し、この流路内を冷却液が封入された状態で流通する。循環パイプ１０内の冷却液は、一端７ａから冷却パイプ７に流入し、他端７ｂから循環パイプ１０に流出する。
【００３５】
太陽電池１１は、車両２のルーフ５上に設けられ、太陽光線を電力に変換する。太陽電池１１の電力供給線１２は、コントローラ３４を介して後述する弁駆動モータ２６、ポンプモータ２８及びファンモータ３２に接続される。コントローラ３４は、車両２に搭載された車載バッテリ（図示省略）と各モータ２６，２８，３２とを断絶した状態で、太陽電池１１が発電した電力を各モータ２６，２８，３２へ直接供給する。太陽電池１１の発電量は、日射量に比例して変化し、日射量の増減に応じて増減する。
【００３６】
通気ダクト１３は、第１ダクト１４と第２ダクト１７と第３ダクト２０と分岐接続管２３とを有し、車両２の後部の車内空間に設けられる。第１ダクト１４の一端と第２ダクト１７の一端と第３ダクト２０の一端とは、相互に連通する状態で分岐接続管２３に接続されている。また、第１ダクト１４の他端には、車外に開口する第１開口１５が設けられ、第２ダクト１７の他端には、車外に開口する第２開口１８が設けられ、第３ダクト２０の他端には、後部座席の後方で車室３内に開口する第３開口２１が設けられている。第１〜第３ダクト１４，１７，２０及び分岐接続管２３の内周面は、通気路を形成している。分岐接続管２３の内周面は、分岐部２４を区画し、第１ダクト１４の内周面は、第１開口１５と分岐部２４とを連通する第１領域１６を区画し、第２ダクト１７の内周面は、第２開口１８と分岐部２４とを連通する第２領域１９を区画し、第３ダクト２０の内周面は、第３開口２１と分岐部２４とを連通する第３領域２２を区画する。第１領域１６と第３領域２２とは、分岐部２４を介して直線状に連続する。
【００３７】
分岐部２４には、切り替え弁（切り替え手段）２５が設けられる。切り替え弁２５は、分岐接続管２３に回転自在に支持され、弁駆動モータ２６によって第１位置と第２位置とに選択的に設定される。第１位置の切り替え弁２５は、第２ダクト１７の一端で第２領域１９を閉塞し、第２位置の切り替え弁２５は、第３ダクト２０の一端で第３領域２２を閉塞する。切り替え弁２５が第１位置に設定された第１連通状態では、通気路は、第１開口１５及び第３開口２１を介して、車室３内と車外とを連通する。一方、切り替え弁２５が第２位置に設定された第２連通状態では、通気路は、車室３内と車外とを連通せずに、第１開口１５及び第２開口１８を介して車外同士を連通する。弁駆動モータ２６は、太陽電池１１からの電力供給によって駆動する。なお、図１では、切り替え弁２５が第１位置に設定された状態を示し、図２では、切り替え弁２５が第２位置に設定された状態を示している。また、本システム以外の用途のために車両２に設けられた通風用等のダクトを、本システムの通気ダクト１３として用いてもよい。
【００３８】
ポンプ２７は、ポンプモータ２８の回転軸に従動回転するインペラを有する遠心式ポンプであり、流入口２７ａから吸入した冷却液を、インペラの回転によって昇圧して流出口２７ｂから吐出する。ポンプモータ２８は、太陽電池１１から直接供給される電力によって駆動し、太陽電池１１の発電量は、日射量に比例して変化するため、ポンプ２７の吐水量は、日射量に比例して変化する。
【００３９】
放熱器２９は、第１ダクト１４の内部の第１領域１６に配置され、ブラケット（図示省略）を介して第１ダクト１４の内周面に支持される。ラジエータ３０は、チューブとフィンとで構成されるコア部と、コア部の両端に位置する２つのタンクとを有する。２つのタンクの一方と他方とには、それぞれ流入口３０ａと流出口３０ｂとが設けられ、冷却液は、一方のタンクの流入口３０ａから流入し、コア部のチューブを通過して、他方のタンクの流出口３０ｂから流出する。
【００４０】
ファン３１は、ファンモータ３２の回転軸に従動して回転する。ファン３１が回転すると、第２開口１８又は第３開口２１から通気路内に空気が流入し、流入した空気がラジエータ３０を通過して第１開口１５から車外へ流出する。ファンモータ３２は、太陽電池１１から直接供給される電力によって駆動し、太陽電池１１の発電量は、日射量に比例して変化するため、ファン３１の送風量は、日射量に比例して変化する。
【００４１】
車室内温度検出センサ３３は、車室３内に設けられ、所定時間毎に車室３内の温度を検出し、コントローラ３４に出力する。
【００４２】
コントローラ３４には、車室内温度検出センサ３３からの車室内温度信号とエアコンスイッチ３５からのオン／オフ信号とが入力する。コントローラ３４は、車室内温度検出センサ３３が検出する車室３内の温度と、エアコンの作動状態（エアコンスイッチ３５から入力するオン／オフ信号の状態）とに基づいて、弁駆動モータ２６の駆動を制御して切り替え弁２５の状態を適宜変更する。コントローラ３４による弁駆動モータ２６の駆動制御は、弁駆動モータ２６の作動のオン／オフと回転方向の変更とを含む。コントローラ３４は、車室３内の温度が所定温度以上で且つエアコンがオフの場合には、切り替え弁２５を第１位置に設定し、車室３内の温度が所定温度未満の場合又はエアコンがオンの場合には、切り替え弁２５を第２位置に設定する。すなわち、コントローラ３４は、車室３内の温度とエアコンの作動状態とに応じて切り替え弁２５を第１位置又は第２位置に設定する切り替え制御手段として機能し、エアコンスイッチ３５は、エアコンが作動しているか否かを検知する空調作動検出手段として機能する。
【００４３】
上記のように構成されたダッシュボード冷却システム１では、駆動中のポンプ２７から吐出された冷却液は、第１管路１０ａ→冷却パネル６の冷却パイプ７→第２管路１０ｂ→ラジエータ３０→第３管路１０ｃ→ポンプ２７の順に循環し、ダッシュボード４の上面は、冷却パイプ７を流通する冷却液によって冷却される。
【００４４】
また、車室３内の温度が所定温度以上で且つエアコンがオフの場合には、切り替え弁２５が第１位置に設定されるので、車室３内の空気は、ファン３１の回転によって第３開口２１から通気路内に流入し、第１開口１５から車外に排出される。これにより、ダッシュボード４を冷却して昇温した冷却液は、主として車室３内の空気によって冷却され、車室３内は排気方式で換気される。一方、車室３内の温度が所定温度未満の場合又はエアコンがオンの場合には、切り替え弁２５が第２位置に設定されるので、車外の空気は、ファン３１の回転によって第２開口１８から通気路内に流入し、第１開口１５から車外に排出される。これにより、昇温した冷却液は、常に車外の空気によって冷却され、車室３内は換気されない。
【００４５】
また、ポンプモータ２８とファンモータ３２とは、太陽電池１１から直接供給される電力によってそれぞれ駆動し、ポンプ２７の吐水量及びファン３１の送風量は、日射量に比例してそれぞれ変化する。このため、日射しが強く日射量が多い環境下であるほど、冷却パイプ７に流入する冷却液の流量及びラジエータ３０を通過する空気の風量が増大し、ダッシュボード４の冷却効果及び車室３内の換気効果が向上する。
【００４６】
このように、本実施形態のダッシュボード冷却システム１によれば、太陽光の入射を受けて高温となるダッシュボード４の上面を、比較的比熱の大きい冷却液を循環させて冷却するので、ダッシュボード４の温度上昇を効果的に抑制することができ、ダッシュボード４の高温化に伴う車室３内の温度上昇を抑制することができる。
【００４７】
また、ダッシュボード４の内部構造を変更することなく、冷却パネル６をダッシュボード４の上面に設けているため、既存の車両に対しても本システムを容易に適用することができる。
【００４８】
また、放熱器２９は、車室３内と車外とを連通する第１連通状態に設定可能な通気路に配置されているので、第１連通状態では、ダッシュボード４の冷却と同時に、車室３内の空気を車外に排出して車室３内を換気することができる。
【００４９】
また、車室３内が所定温度以上で且つエアコンがオフの場合には、車室３内は換気され、車室３内の温度が所定温度未満の場合又はエアコンがオンの場合には、車室３内は換気されない。このため、例えば、真夏の炎天下に駐車して車室３内が高温となった場合には、ダッシュボード４の冷却と車室３内の換気とが同時に行われて車室３内の温度上昇が抑制されるので、乗車時の乗員の不快感を低減し、運転開始直後におけるエアコンの過剰使用による電力の消費を抑制することができる。一方、車室３内が適温の場合や乗員がエアコンを作動させる場合には、ダッシュボード４の冷却のみが行われ車室３内の空気が車外に流出しないので、車室３内を快適な状態に維持することができ、また、エアコンの過剰使用による電力の消費を抑制することができる。
【００５０】
また、ポンプ２７及びファン３１は、日射量に比例して発電する太陽電池１１から直接電力が供給されて駆動するポンプモータ２８及びファンモータ３２によって駆動されるので、ポンプ２７及びファン３１の駆動を制御することなく、環境条件に適したダッシュボード４の冷却及び車室３内の換気を行うことができる。また、ポンプ２７及びファン３１の駆動を制御するためのセンサや制御装置が不要であるので、部品点数の増加を抑制し、システムを簡素化することができる。
【００５１】
また、切り替え弁２５、ポンプ２７及びファン３１は、太陽電池１１からの電力のみで駆動されるので、ダッシュボード冷却システム１の作動は車載バッテリに対して影響を与えない。
【００５２】
なお、ダッシュボード４を冷却する方法は、上記に限定されない。例えば、ダッシュボード４の上面のパネル内側に冷却液が流通するパイプを直接取り付けてもよく、ダッシュボード４の上面のパネルに、仕切板等で冷却液が流通する流路を形成して、冷却液を流通させてもよい。
【００５３】
また、切り替え弁２５の状態は、車室３内の温度とエアコンの作動状態との双方に基づいて設定されることに限定されず、何れか一方や他の判断基準に基づいて設定されてもよく、乗員の意思によって設定されてもよい。切り替え弁２５の状態を乗員の意思によって設定する場合、乗員からの操作を受け付ける専用のスイッチを車室３内等に設け、当該スイッチの操作に応じてコントローラ３４が切り替え弁２５の状態を切り替える方法や、切り替え弁２５に機械式レバーを取り付け、乗員が当該レバーを直接操作することによって切り替え弁２５の状態が切り替わる方法等が適用可能である。
【００５４】
また、車室内温度検出センサ３３とコントローラ３４とに代えて、サーモスタットを車室３内に設け、サーモスタットからのオン／オフ信号に応じて弁駆動モータ２６の回転方向が制御されて切り替え弁２５の状態が切り替わってもよい。
【００５５】
また、太陽電池１１の配置場所は、上記に限定されず、例えば、ダッシュボード４上の冷却パネル６の上面であってもよい。太陽電池１１は、自身の温度が低いほど発電効率が向上することから、太陽電池１１を冷却パネル６の第１冷却プレート９ａの上面に載置し、第１冷却プレート９ａを、第２冷却プレート９ｂと同様に熱伝導率が高い樹脂等で形成することによって、太陽電池１１の発電効率を向上させることができる。
【００５６】
また、切り替え弁２５の状態をエアシリンダや油圧シリンダ等によって変更してもよい。
【００５７】
次に、本発明の第２実施形態のダッシュボード冷却システムについて図面を参照して説明する。本実施形態は、ファン３１の回転方向を制御して通気路内の空気の流通方向を変更する点において上記第１実施形態と相違する。なお、上記第１実施形態と同様の構成には、同一の符号を付してその詳細な説明を省略する。図４は、本実施形態のダッシュボード冷却システムの構成図である。
【００５８】
図４に示すように、本実施形態のダッシュボード冷却システムは、車外温度検出センサ３６と、ラジエータ排気温度検出センサ３７とを備える。車室３内には、乗員からの操作に応じて車両２を始動及び停止させるイグニッションスイッチ３８が配置されている。
【００５９】
車外温度検出センサ３６は、車両２の外部に設けられ、所定時間毎に車外の温度を検出し、コントローラ３４に出力する。
【００６０】
ラジエータ排気温度検出センサ３７は、通気路内のラジエータ３０と切り替え弁２５との間に設けられ、所定時間毎にラジエータ３０を通過した空気（ラジエータ排気）の温度を検出し、コントローラ３４に出力する。
【００６１】
ファン３１は、ファンモータ３２によって正回転状態と逆回転状態とに選択的に設定される。ファン３１が正回転状態で回転すると、第２開口１８又は第３開口２１から通気路内に空気が流入し、流入した空気がラジエータ３０を通過して第１開口１５から車外へ流出する。一方、ファン３１が逆回転状態で回転すると、第１開口１５から通気路内に車外の空気が流入し、流入した空気がラジエータ３０を通過して第２開口１８又は第３開口２１から流出する。
【００６２】
コントローラ３４には、車室内温度検出センサ３３、車外温度検出センサ３６及びラジエータ排気温度センサ３７からの各温度信号と、イグニッションスイッチ３８及びエアコンスイッチ３５からのオン／オフ信号とが入力する。コントローラ３４は、車室内温度検出センサ３３が検出する車室３内の温度と、車外温度検出センサ３６が検出する車外の温度とに基づいて、ファンモータ３２の回転方向を制御してファン３１の回転状態を適宜変更する。また、車室内温度検出センサ３３が検出する車室３内の温度と、ラジエータ排気温度検出センサ３７が検出するラジエータ排気の温度と、車両２の始動状態（イグニッションスイッチ３８から入力するオン／オフ信号の状態）と、エアコンの作動状態（エアコンスイッチ３５から入力するオン／オフ信号の状態）とに基づいて、弁駆動モータ２６の駆動を制御して切り替え弁２５の状態を適宜変更する。
【００６３】
コントローラ３４は、車外の温度が第１所定温度未満の場合又は車室３内の温度と車外の温度との差が第２所定温度未満の場合には、ファン３１を正回転状態に設定し、車外の温度が第１所定温度以上で且つ車室３内の温度と車外の温度との差が第２所定温度以上の場合には、ファン３１を逆回転状態に設定する。ファン３１を正回転状態に設定したとき、コントローラ３４は、車室３内の温度が所定温度以上で且つエアコンがオフの場合には、切り替え弁２５を第１位置に設定し、車室３内の温度が所定温度未満の場合又はエアコンがオンの場合には、切り替え弁２５を第２位置に設定する。一方、ファン３１を逆回転状態に設定したとき、コントローラ３４は、車室３内の温度がラジエータ排気の温度以上で且つ車両２が始動していない場合には、切り替え弁２５を第１位置に設定し、車室３内の温度がラジエータ排気の温度未満の場合又は車両２が始動した場合には、切り替え弁２５を第２位置に設定する。すなわち、コントローラ３４は、車室３内の温度と車外の温度とに応じてファン３１を正回転状態又は逆回転状態に設定するファン制御手段、及び車室３内の温度とラジエータ排気温度と車両２の始動状態とエアコンの作動状態とに応じて切り替え弁２５を第１位置又は第２位置に設定する切り替え制御手段として機能する。また、イグニッションスイッチ３８は、車両２の始動を検知する車両始動検知手段として機能する。
【００６４】
上記のように構成されたダッシュボード冷却システムでは、車外の温度が第１所定温度未満の場合又は車室３内の温度と車外の温度との差が第２所定温度未満の場合には、ファン３１が正回転状態に設定される。ファン３１が正回転状態に設定され、車室３内の温度が所定温度以上で且つエアコンがオフの場合には、切り替え弁２５が第１位置に設定されるので、車室３内の空気は、ファン３１の回転によって第３開口２１から通気路内に流入し、第１開口１５から車外に排出される。これにより、昇温した冷却液は、主として車室３内の空気によって冷却され、車室３内は排気方式で換気される。また、ファン３１が正回転状態に設定され、車室３内の温度が所定温度未満の場合又はエアコンがオンの場合には、切り替え弁２５が第２位置に設定されるので、車外の空気は、ファン３１の回転によって第２開口１８から通気路内に流入し、第１開口１５から車外に排出される。これにより、昇温した冷却液は、常に車外の空気によって冷却され、車室３内は換気されない。
【００６５】
一方、車外の温度が第１所定温度以上で且つ車室３内の温度と車外の温度との差が第２所定温度以上の場合には、ファン３１が逆回転状態に設定される。ファン３１が逆回転状態に設定され、車室３内の温度がラジエータ排気の温度以上で且つ車両２が始動していない場合には、切り替え弁２５が第１位置に設定されるので、車外の空気は、ファン３１の回転によって第１開口１５から通気路内に流入し、第３開口２１から車室３内に供給される。これにより、昇温した冷却液は、主として車外の空気によって冷却され、車室３内は給気方式で換気される。また、ファン３１が逆回転状態に設定され、車室３内の温度がラジエータ排気の温度未満の場合又は車両２が始動した場合には、切り替え弁２５が第２位置に設定されるので、車外の空気は、ファン３１の回転によって第１開口１５から通気路内に流入し、第２開口１８から車外に排出される。これにより、昇温した冷却液は、常に車外の空気によって冷却され、車室３内は換気されない。
【００６６】
このように、本実施形態のダッシュボード冷却システムによれば、ファン３１の回転方向を制御して通気路内の空気の流通方向を変更するので、昇温した冷却液を冷却する空気を選択することができる。
【００６７】
また、車外の温度が第１所定温度以上で且つ車室３内の温度と車外の温度との差が第２所定温度以上の場合には、昇温した冷却液は車外の空気によって冷却される。このため、例えば、真夏の炎天下に長時間駐車して車室３内が車外よりも相当高温になった場合には、昇温した冷却液が車室３内の空気よりも低温の車外の空気によって冷却されるので、ダッシュボード４の冷却効果を向上させることができる。
【００６８】
また、昇温した冷却液が車外の空気によって冷却される状態で、車室３内の温度がラジエータ排気温度以上で且つ車両２が始動していない場合には、車室３内の空気よりも低温のラジエータ排気が車室３内に供給されるので、車室３内を低温化させることができ、車室３内の温度上昇を効果的に抑制することができる。
【００６９】
また、車両２が始動すると、車室３内へのラジエータ排気の供給は停止するので、乗員はラジエータ排気が車室３内を対流することによる不快感を覚えずに快適に乗車することができる。
【００７０】
なお、上記実施形態は本発明の一例であり、本発明を逸脱しない範囲において変更可能である。
【産業上の利用可能性】
【００７１】
本発明は、車両のダッシュボード及び車室内の温度上昇の抑制に有効である。
【符号の説明】
【００７２】
１：ダッシュボード冷却システム
６：冷却パネル
７：冷却パイプ
８：カバー
９ａ，９ｂ：第１及び第２冷却プレート
１０：循環パイプ
１１：太陽電池
１２：電力供給線
１３：通気ダクト
１４：第１ダクト
１７：第２ダクト
２０：第３ダクト
２３：分岐接続管
２５：切り替え弁
２６：弁駆動モータ
２７：ポンプ
２８：ポンプモータ
２９：放熱器
３０：ラジエータ
３１：ファン
３２：ファンモータ
３３：車室内温度検出センサ
３４：コントローラ
３５：エアコンスイッチ
３６：車外温度検出センサ
３７：ラジエータ排気温度検出センサ
３８：イグニッションスイッチ
【図１】
0005720982.tif 000002
【図２】
0005720982.tif 000003
【図３】
0005720982.tif 000004
【図４】
0005720982.tif 000005